(57)【要約】【課題】新たな処理部の追加が必要になった場合でも、柔軟に拡張することができる携帯電話端末装置を実現する。【解決手段】回線インタフェース部２と多重分離部４とをＣＰＵバス３を介して接続し、ＣＰＵ１１による制御によりＣＰＵバス３を介して回線インタフェース部と多重分離部４との間で多重データをパラレル伝送することにより、新たな処理部を追加する場合にもそれぞれの処理部間の接続関係を変更することなく新たな処理部を追加できるようにした。【選択図】        図１
2004222096.tif 000002
【特許請求の範囲】
【請求項１】
ＣＰＵ（Ｃｅｎｔｒａｌ  Ｐｒｏｃｅｓｓｉｎｇ  Ｕｎｉｔ）と、所定のデータ処理を行う複数のデータ処理部とを有し、
ＣＰＵによる制御により複数のデータ処理部の間で処理対象のデータをパラレル伝送させて複数のデータ処理部の間で処理対象のデータに対するデータ処理を行わせることを特徴とする無線通信端末。
【請求項２】
前記無線通信端末は、
ＣＰＵバスを介して複数のデータ処理部を接続し、ＣＰＵによる制御によりＣＰＵバスを介して複数のデータ処理部の間で処理対象のデータをパラレル伝送させて複数のデータ処理部の間で処理対象のデータに対するデータ処理を行わせることを特徴とする請求項１に記載の無線通信端末。
【請求項３】
前記無線通信端末は、
複数のデータ処理部のうちの一つとして、少なくとも画像データと音声データとが多重された多重データを無線通信回線との間で送受信する回線インタフェース部と、
複数のデータ処理部のうちの一つとして、多重データを分離するとともに少なくとも画像データと音声データとを多重して多重データとする多重分離部とを有し、
ＣＰＵバスを介して前記回線インタフェース部と前記多重分離部とを接続し、
前記回線インタフェース部により多重データが受信された場合に、ＣＰＵによる制御によりＣＰＵバスを介して前記回線インタフェース部から前記多重分離部に対して多重データをパラレル伝送させ、
前記回線インタフェース部から前記無線通信回線に対して多重データを送信する場合に、ＣＰＵによる制御によりＣＰＵバスを介して前記多重分離部から前記回線インタフェース部に対して多重データをパラレル伝送させることを特徴とする請求項２に記載の無線通信端末。
【請求項４】
前記回線インタフェース部は、
前記無線通信回線よりシリアル伝送された多重データをパラレル伝送用にデータ変換して前記多重分離部に対してパラレル伝送し、前記多重分離部よりパラレル伝送された多重データをシリアル伝送用にデータ変換して前記無線通信回線に対してシリアル伝送することを特徴とする請求項３に記載の無線通信端末。
【請求項５】
前記回線インタフェース部及び前記多重分離部は、それぞれ多重データを蓄積するバッファを有し、無線通信回線の回線クロックに基づく割込み信号を用いて前記回線インタフェース部のバッファ及び前記多重分離部のバッファのいずれかに対してデータの読出し及びデータの書込みのいずれかを行うことを特徴とする請求項３に記載の無線通信端末。
【請求項６】
前記無線通信端末は、
複数のデータ処理部のうちの一つとして、少なくとも画像データと音声データとが多重された放送波データを受信する放送波インタフェース部と、
複数のデータ処理部のうちの一つとして、放送波データを分離すると分離部とを有し、
ＣＰＵバスを介して前記放送波インタフェース部と前記分離部とを接続し、
前記放送波インタフェース部により放送波データが受信された場合に、ＣＰＵによる制御によりＣＰＵバスを介して放送波データを前記放送波インタフェース部から前記分離部に対してパラレル伝送させることを特徴とする請求項２に記載の無線通信端末。
【請求項７】
前記無線通信端末は、
複数のデータ処理部のうちの一つとして、ユーザデータを無線通信回線との間で送受信する回線インタフェース部と、
複数のデータ処理部のうちの一つとして、外部装置との間でユーザデータを入出力する外部入出力インタフェース部とを有し、
ＣＰＵバスを介して前記回線インタフェース部と前記外部入出力インタフェース部とを接続し、
前記回線インタフェース部によりユーザデータが受信された場合に、ＣＰＵによる制御によりＣＰＵバスを介して前記回線インタフェース部から前記外部入出力インタフェース部に対してユーザデータをパラレル伝送させることを特徴とする請求項２に記載の無線通信端末。
【請求項８】
前記無線通信端末は、
複数のデータ処理部のうちの一つとして、少なくとも画像データと音声データとが多重された多重データを外部記憶装置との間で入出力する外部入出力インタフェース部と、
複数のデータ処理部のうちの一つとして、多重データを分離すると分離部とを有し、
ＣＰＵバスを介して前記外部入出力インタフェース部と前記分離部とを接続し、
前記外部入出力インタフェース部により多重データが前記外部記憶装置から読み出された場合に、ＣＰＵによる制御によりＣＰＵバスを介して前記外部入出力インタフェース部から前記分離部に対して多重データをパラレル伝送させることを特徴とする請求項２に記載の無線通信端末。
【請求項９】
前記無線通信端末は、
複数のデータ処理部へのデータ書込み用の書込み用ＣＰＵバスと複数のデータ処理部からのデータ読出し用の読出し用ＣＰＵバスとを有し、書込み用ＣＰＵバス及び読出し用ＣＰＵバスを介して複数のデータ処理部の間で処理対象のデータをパラレル伝送させて複数のデータ処理部の間で処理対象のデータに対するデータ処理を行わせることを特徴とする請求項２に記載の無線通信端末。
【請求項１０】
前記無線通信端末は、更に、ＤＭＡ（Ｄｉｒｅｃｔ  Ｍｅｍｏｒｙ  Ａｃｅｓｓ）コントローラを有し、
ＤＭＡコントローラによる制御により複数のデータ処理部の間で処理対象のデータをパラレル伝送させて複数のデータ処理部の間で処理対象のデータに対するデータ処理を行わせることを特徴とする請求項１に記載の無線通信端末。
【請求項１１】
前記無線通信端末は、
ＣＰＵバスから独立したＤＭＡコントローラ用バスを介して複数のデータ処理部を接続し、ＤＭＡコントローラによる制御によりＤＭＡコントローラ用バスを介して複数のデータ処理部の間で処理対象のデータをパラレル伝送させて複数のデータ処理部の間で処理対象のデータに対するデータ処理を行わせることを特徴とする請求項１０に記載の無線通信端末。
【請求項１２】
ＣＰＵ（Ｃｅｎｔｒａｌ  Ｐｒｏｃｅｓｓｉｎｇ  Ｕｎｉｔ）と、所定のデータ処理を行う複数のデータ処理部とを有する無線通信端末におけるデータ処理方法であって、
ＣＰＵによる制御により複数のデータ処理部の間で処理対象のデータをパラレル伝送させて複数のデータ処理部の間で処理対象のデータに対するデータ処理を行わせることを特徴とするデータ処理方法。
【発明の詳細な説明】
【０００１】
【発明の属する技術分野】
本発明は、画像・音声・その他のデータを相手端末との間でやり取りすることが可能な携帯電話端末装置に関するものである。
【０００２】
【従来の技術】
従来の携帯電話端末装置は、ネットワークとの無線接続処理を行うベースバンド処理部と、ベースバンド処理部との間で画像、音声、その他の多重化されたデータをやり取りする回線インタフェース部と、回線インタフェース部より送られてくる多重化された画像・音声・その他のデータを分離、あるいは自分の端末内で符号化された画像・音声・その他のデータを多重化して回線インタフェース部に出力する多重分離部と、相手端末より送られてきた符号化された画像データを復号、あるいは逆に自分の端末にて取りこんだ画像データを相手端末に送る為に符号化する画像符号化復号部と、相手端末より送られてきた符号化された音声データを復号、あるいは逆に自分の端末にて取りこんだ音声データを相手端末に送る為に符号化する音声符号化復号部と、本携帯電話端末装置全体の制御を行うＣＰＵと、ＣＰＵの命令及びデータを記憶するためのメモリと、ＳＤカードやメモリスティック等のメモリーカードに対してデータの書込みや読出しを行う外部入出力インタフェース部と、画像符号化復号部に符号化するための画像データを出力する画像入力手段と、画像符号化復号部より出力される復号された画像データを表示するための画像表示手段と、音声符号化復号部に符号化するための音声データを入力する音声入力手段と、音声符号化復号部より出力される復号された音声データを出力するための音声出力手段と、回線インタフェース部、多重分離部、画像符号化復号部、音声符号化復号部、ＣＰＵ、および外部入出力インタフェース部間の接続を切替える事が可能な入出力切替え部とから構成される。
【０００３】
【特許文献１】
特開２００２−０４９５７４号公報（図１３）
【０００４】
【発明が解決しようとする課題】
従来の携帯電話端末装置において、各処理部は入出力切替え部に接続されており、入出力切替え部にて動作モードに合わせて接続先を切替える構成になっている。そのため、処理部が１つ追加されるごとに入出力切替え部のポートも１つ増やす必要があり、拡張性に乏しいと言える。
また、一般的に各処理部に入出力されるデータのフォーマットは異なる。例えば、回線インタフェース部に入出力されるデータはシリアルデータである場合が多く、ＣＰＵや外部入出力インタフェース部の扱うデータはパラレルデータである。従来例ではこれらデータフォーマットの相違に対する記述がなく、単に入出力切替え部で切替える構成となっているが、単純に切替えるだけではデータの送受信を行うことは困難である。
【０００５】
この発明は上記のような問題点を解消するためになされたもので、処理部の拡張にも柔軟に対応し、データのフォーマットも統一させることにより全ての処理部間でデータの入出力が可能な携帯電話端末装置を提供することを目的とする。
【０００６】
【課題を解決するための手段】
本発明に係る無線通信端末は、
ＣＰＵ（Ｃｅｎｔｒａｌ  Ｐｒｏｃｅｓｓｉｎｇ  Ｕｎｉｔ）と、所定のデータ処理を行う複数のデータ処理部とを有し、
ＣＰＵによる制御により複数のデータ処理部の間で処理対象のデータをパラレル伝送させて複数のデータ処理部の間で処理対象のデータに対するデータ処理を行わせることを特徴とする。
【０００７】
【発明の実施の形態】
実施の形態１．
以下、この発明の実施の形態１を図に基づいて説明する。
図１はこの発明の実施の形態１における携帯電話端末装置（無線通信端末）の機能ブロック図を示すものである。
図１において、ベースバンド処理部１は、ネットワーク（無線通信回線）との無線接続処理を行う。
回線インタフェース部２は、ベースバンド処理部１に接続し、ベースバンド処理部１を介してネットワークとの間で多重データの送受信を行う。回線インタフェース部２はＣＰＵバス３を介して多重分離部４に接続される。
多重分離部４は、回線インタフェース部２より画像データ、音声データ等が多重された多重データを入力し、多重データの分離を行うとともに、回線インタフェース部２からネットワークに対して多重データを送信する場合には、画像データ、音声データの多重化を行う。多重分離部４には画像の符号化・復号処理を行う画像符号化復号部５と音声の符号化・復号処理を行う音声符号化復号部６が接続されている。
画像符号化復号部５には符号化するための画像データの入力を行う画像入力手段７（例えば、カメラ）と相手端末から送られてくる画像を出力するための画像出力手段８（例えば、ＬＣＤ）が接続されており、音声符号化復号部６には符号化するための音声データを入力する音声入力手段９（例えば、マイク）と相手端末から送られてくる音声を出力するための音声出力手段１０（例えば、スピーカ）が接続される。
その他、ＣＰＵバス３には携帯電話端末装置全体の制御を行うＣＰＵ１１と、プログラムやデータを格納するためのメモリ１２が接続される。
なお、本実施の形態では、回線インタフェース部２と多重分離部４がデータ処理部の例に相当する。
【０００８】
次に動作について説明する。
相手端末に対して回線を接続してテレビ電話を行う場合、ＣＰＵ１１はベースバンド処理部１に対して回線接続指示を出す。
ベースバンド処理部１ではＣＰＵ１１から回線接続指示とともに通知される相手端末の電話番号情報に基づきネットワークに対し回線接続手順を実行する。相手端末との間で回線が接続されるとベースバンド処理部１より回線インタフェース部２に受信データが出力されてくる。
回線インタフェース部２では画像・音声・その他の多重データをＣＰＵバス３に出力するためにデータフォーマット変換を行う。つまり、ベースバンド処理部１から出力された多重データはシリアル伝送用のデータフォーマットであるため、パラレル伝送用のデータフォーマットに変換する。そして、データフォーマット変換された多重データはＣＰＵ１１による制御により回線インタフェース部２からＣＰＵバスを介して多重分離部４にパラレル伝送される。
多重分離部４では受信した多重データより画像／音声／その他のデータを分離し、画像データは画像符号化復号部５へ、音声データは音声符号化復号部６へ、その他のデータはＣＰＵ１１へ出力する。
画像符号化復号部５では受信した符号化画像データの復号処理を行い、復号した画像を画像出力手段８へ出力することで、相手端末から送られてきた画像を携帯電話端末装置に表示することが出来る。
音声符号化復号部６では受信した符号化音声データの復号処理を行い、復号した音声を音声出力手段１０へ出力することで、相手端末から送られてきた音声を携帯電話端末装置に出力することが出来る。
【０００９】
このように、本実施の形態では、ＣＰＵバスを介して回線インタフェース部２と多重分離部４とを接続し、回線インタフェース部２により多重データが受信された場合に、ＣＰＵ１１による制御によりＣＰＵバス３を介して回線インタフェース部２から多重分離部４に対して多重データをパラレル伝送させ、また、回線インタフェース部２からネットワークに対して多重データを送信する場合に、ＣＰＵによる制御によりＣＰＵバスを介して多重分離部４から回線インタフェース部２に対して多重データをパラレル伝送させている
【００１０】
本実施の形態では、各処理部間（回線インタフェース部、多重分離部間）をＣＰＵバスで接続するため、回線クロックを用いたデータの同期確保が困難である。そのため、回線インタフェース、多重分離部のそれぞれのＣＰＵバスインタフェースにバッファを設け、バッファにある程度データが溜まったら読出しが可能となる構成とする。その際、バッファからの読出しタイミングとして、回線クロックから生成した割込み信号を用いることで回線クロックとデータの同期性を保持する構成としている。従来の回線インタフェース部、多重分離部間のデータ送受信タイミングを図７に示し、本実施の形態における回線インタフェース部、多重分離部間のデータ送受信タイミングを図８に示す。
図において、ＵＤ０１、ＵＤ０２等はユーザデータであり、１６ビット単位となっている。Ａ１５、Ａ１４等はユーザデータ（例えばＵＤ０１）を構成するデータであり、１ビット単位となっている。また、ＣＬＫは、回線クロックを、ＣＰＵＣＬＫはＣＰＵクロックを示している。
図７及び図８によれば、ＣＰＵクロック（ＣＰＵＣＬＫ）は回線クロック（ＣＬＫ）とは同期していないが、回線クロックに同期した１０ｍｓ周期の割込みを使用して回線インタフェース部のバッファ又は多重分離部のバッファの読出し・書込みを行うことで、１０ｍｓ単位でのデータの同期性を確保することができる。
【００１１】
上記のように回線インタフェース部２と多重分離部４との間でデータのパラレル伝送を行うため、データ転送速度を向上させることができ、また回線インタフェース部と多重分離部とがＣＰＵバス３を介して接続されているため、回線系のインタフェース部が追加になった場合でも、容易に接続することが可能である。
従来例では入出力切替え部を経由して接続されているため、回線インタフェース部が追加されると入出力切り替え部のポート数も追加する必要があったが、本実施の形態によれば、このような作業が不要となる。
【００１２】
実施の形態２．
また、図２はこの発明の実施の形態２における携帯電話端末装置の機能ブロック図を示すものである。
図２において図１と同様の機能を実現する処理部は同一の符号を付けている。新たに追加したのは、地上波ディジタル放送を受信するための無線処理を行うＤＴＶチューナ部１３と、前記ＤＴＶチューナ部１３を介して映像、音声、その他のデータの多重データ（放送波データ）を受信し、受信した多重データをＣＰＵバス３に出力するＤＴＶインタフェース部（放送波インタフェース部）１４である。
本実施の形態では、回線インタフェース部２、ＤＴＶインタフェース部１４と多重分離部４がデータ処理部の例に相当する。
【００１３】
次に動作について説明する。
地上波ディジタル放送を受信する場合、ＣＰＵ１１はＤＴＶチューナ部１３に対し受信開始指示と選局情報を通知する。ＤＴＶチューナ部１３は選局に成功するとＭＰＥＧ２トランスポートストリーム形式に多重化された映像、音声、その他のデータをＤＴＶインタフェース部１４に出力する。
ＤＴＶインタフェース部１４ではＭＰＥＧ２トランスポートストリーム形式のデータをＣＰＵバスインタフェース形式のデータに変換する。変換されたデータはＣＰＵ１１による制御によりＤＴＶインタフェース部１４からＣＰＵバスを介して多重分離部４にパラレル伝送され、多重分離部４にて映像、音声、その他のデータに分離されたのち、復号されて映像、音声として出力される。
なお、テレビ電話として機能する場合の動作は実施の形態１と同様である。
また、ＤＴＶインタフェース部、多重分離部間のデータ送受信タイミングは、実施の形態１で示した図８と同様である。
【００１４】
このように、本実施の形態では、ＣＰＵバスを介してＤＴＶインタフェース部１４と多重分離部４とを接続し、ＤＴＶインタフェース部１４により放送波データが受信された場合に、ＣＰＵによる制御によりＣＰＵバスを介して放送波データをＤＴＶインタフェース部から多重分離部に対してパラレル伝送させている。
【００１５】
以上のようにテレビ電話、ＤＴＶ受信と２種類の動作モードをサポートする場合においてもＣＰＵバス３より右側の構成を変更する必要がなく、容易に機能を拡張することが可能である。
【００１６】
実施の形態３．
図３はこの発明の実施の形態３における携帯電話端末装置の機能ブロック図を示すものである。
図３において図２と同様の機能を実現する処理部は同一の符号を付けている。新たに追加したのは、各種データを書込み／読出しするためのメモリーカード（外部装置、外部記憶装置）１５と、メモリーカード１５のデータ形式をＣＰＵバスのデータ形式に変換する外部入出力インタフェース部１６である。
本実施の形態では、回線インタフェース部２、ＤＴＶインタフェース部１４、多重分離部４、外部入出力インタフェース部１６がデータ処理部の例に相当する。
【００１７】
次に動作について説明する。
テレビ電話や地上波ディジタル放送受信時の動作は実施の形態１および実施の形態２と同様のため、説明は省略する。
メモリーカード１５には携帯電話端末装置のアドレス帳、メール、撮影した画像データ、録音した音声データ等のユーザデータを保存することが可能である。またテレビ電話の留守録としても使用することが可能である。
テレビ電話時、回線インタフェース部２から出力される相手端末から送られてくる画像、音声の多重データはＣＰＵ１１によってＣＰＵバス３を介して多重分離部４に入力されるが、同時に、回線インタフェース部２からＣＰＵバス３を介して外部入出力インタフェース部１６にパラレル伝送し、外部入出力インタフェース部１６を経由してメモリーカード１５に書き込んでおく。テレビ電話終了後、メモリーカード１５に書き込んでおいたデータを読み出す場合は、外部入出力インタフェース部１６を通じＣＰＵバスを介してメモリーカード１５からＣＰＵ１１が読出し、ＣＰＵバスを介して多重分離部４に入力し、画像符号化復号部５および音声符号化復号部６で画像、音声を復号することにより、後で確認することが可能となる。
【００１８】
このように、本実施の形態では、ＣＰＵバスを介して回線インタフェース部２と外部入出力インタフェース部１６とを接続し、回線インタフェース部によりユーザデータ（例えば、多重データ）が受信された場合に、ＣＰＵ１１による制御によりＣＰＵバス３を介して回線インタフェース部から外部入出力インタフェース部に対してユーザデータをパラレル伝送させ、また、ＣＰＵバスを介して外部入出力インタフェース部１６と多重分離部４とを接続し、外部入出力インタフェース部１６により多重データがメモリーカード（外部記憶装置）から読み出された場合に、ＣＰＵ１１による制御によりＣＰＵバス３を介して外部入出力インタフェース部１６から多重分離部４に対して多重データをパラレル伝送させている。
【００１９】
このように、ＣＰＵバス３経由でデータの入出力を行うことにより、１つの回線系処理部からのデータを２つ以上の処理部に同時に分配することが可能である。
【００２０】
実施の形態４．
図４はこの発明の実施の形態４における携帯電話端末装置の機能ブロック図を示すものである。
図４において図３と同様の機能を実現する処理部は同一の符号を付けている。
ＣＰＵバスは読出し用データバス（読出し用ＣＰＵバス）１７と書込み用データバス（書込み用ＣＰＵバス）１８を独立に設ける。ＣＰＵ１１からの書込み用データバス１８と、アドレス及びその他制御信号１９は全ての処理部に並列に接続する。読出し用データバス１７には、各処理部からの読出し用データバス１７ａ〜１７ｅをセレクタ２０で選択した信号が接続される。アドレスデコーダ２１はＣＰＵ１１から出力されるアドレス信号を基に、ＣＰＵ１１がどの処理部のデータを読み出そうとしているかを判定し、セレクタ２０に対してセレクト信号を出力する。
【００２１】
次に動作について説明する。
テレビ電話や地上波ディジタル放送の受信、およびメモリーカードへの書込み／読出し時の各部の動作は、実施の形態１〜３と同様のため省略する。
図４の構成ではＣＰＵ１１の読出し用データバス１７と書込み用データバス１８が独立しているため、それぞれのバスにおける信号の向きは常に片方向である。実施の形態１〜３のＣＰＵバス３は信号の向きは双方向を想定していた。各処理部とＣＰＵ１１の間でやり取りするデータ量がそれ程多くない場合には、ＣＰＵバスの動作クロックが高くなくともデータの転送が可能であるため、双方向データバスでも実現可能であるが、各処理部との間でやり取りするデータ量が多くなると双方向バスの場合、信号の向きを切替える時間が発生し、動作クロックを上げられなくなる。
【００２２】
このように、本実施の形態では、データ書込み用の書込み用ＣＰＵバスとデータ読出し用の読出し用ＣＰＵバスとを設け、書込み用ＣＰＵバス及び読出し用ＣＰＵバスを介して複数のデータ処理部の間で処理対象のデータをパラレル伝送させて複数のデータ処理部の間で処理対象のデータに対するデータ処理を行わせている。
【００２３】
以上より、本実施の形態では、読出し用データバスと書込み用データバスを分離することにより信号の向きを切替える時間を無くすことができ、双方向バスに比べてＣＰＵバスの動作クロックを上げる事が出来る。これにより各処理部とやり取りするデータ量が増えても対応することが可能となる。
【００２４】
実施の形態５．
図５はこの発明の実施の形態５における携帯電話端末装置の機能ブロック図を示すものである。
図５において図４と同様の機能を実現する処理部は同一の符号を付けている。
本実施の形態では、ＤＭＡ（Ｄｉｒｅｃｔ  Ｍｅｍｏｒｙ  Ａｃｅｓｓ）コントローラ２４を設け、ＤＭＡコントローラ２４の制御により各処理部での処理を管理する。
ＣＰＵ１１の書込み用データバス１８ａとＤＭＡコントローラ２４の書込み用データバス１８ｂはセレクタ２２に接続され、セレクタ２２で選択された書込み用データバス１８が各処理部に接続される。同様にＣＰＵ１１のアドレス及びその他制御信号１９ａとＤＭＡコントローラ２４のアドレス及びその他制御信号１９ｂがセレクタ２３に接続され、セレクタ２３で選択されたアドレス及びその他制御信号１９が各処理部に接続される。
読出し用データバスのセレクタ２０と、書込み用データバスのセレクタ２２と、アドレス及びその他制御信号用セレクタ２３はバスの競合制御を行うバスアービター２５により制御される。
【００２５】
このように、本実施の形態では、ＤＭＡコントローラによる制御により複数のデータ処理部の間で処理対象のデータをパラレル伝送させて複数のデータ処理部の間で処理対象のデータに対するデータ処理を行わせている。
【００２６】
このような構成にすることにより、各処理部間の単純なデータ転送処理はＤＭＡコントローラ２４にて実行し、データの加工を必要とする処理のみＣＰＵ１１が実行することで、ＣＰＵ１１の処理負荷を軽減することが可能となる。
【００２７】
実施の形態６．
図６はこの発明の実施の形態６における携帯電話端末装置の機能ブロック図を示すものである。
図６において図５と同様の機能を実現する処理部は同一の符号を付けている。
実施の形態５では読出し用データバスのセレクタ２０はＣＰＵ１１とＤＭＡコントローラ２４で共有していたが、図６ではＣＰＵ用セレクタ２０ａとＤＭＡコントローラ用セレクタ２０ｂと、それぞれ独立に持つ。
また、書込み用データバスのセレクタ２２とアドレス及びその他制御信号用セレクタ２３もそれぞれ１つずつ実装していたが、図６では各処理部ごとに１つずつ独立に持つ。
【００２８】
このように、本実施の形態では、ＣＰＵバスから独立したＤＭＡコントローラ用バスを介して複数のデータ処理部を接続し、ＤＭＡコントローラによる制御によりＤＭＡコントローラ用バスを介して複数のデータ処理部の間で処理対象のデータをパラレル伝送させて複数のデータ処理部の間で処理対象のデータに対するデータ処理を行わせている。
【００２９】
以上のような構成にすることで、ＣＰＵのデータバス、アドレスバスとＤＭＡコントローラのデータバス、アドレスバスが完全に分離される。そのため、ＣＰＵ１１とＤＭＡコントローラ２４が同時に別々の処理部にアクセスする事が可能となり、バスの競合が発生しにくくなるため、より高速でのデータ処理が可能となる。
【００３０】
ここで、実施の形態１〜６に示した携帯電話端末装置の特徴を以下にて再言する。
実施の形態１に記載の携帯電話端末装置は、ネットワークに接続し、そのネットワークを経由して接続された相手端末との間で画像、音声、その他のデータをやり取りすることが可能な携帯電話端末装置であって、
ネットワークとの無線接続処理を行うベースバンド処理部と、前記ベースバンド処理部との間で画像、音声、その他の多重化されたデータをやり取りする回線インタフェース部と、ＣＰＵバスを経由して前記回線インタフェース部との間で多重化されたデータから画像、音声、その他のデータを分離、または逆に画像、音声、その他のデータを多重して回線インタフェース部に出力する多重分離部と、前記多重分離部にて分離した画像データを復号し表示する、また逆に入力された画像データを符号化し前記多重分離部に出力する画像符号化復号部と、前記多重分離部にて分離した音声データを復号し出力する、また逆に入力された音声データを符号化し前記多重分離部に出力する音声符号化復号部と、前記画像符号化復号部に対して符号化するための画像データを入力する画像入力手段と、前記画像符号化復号部から出力される復号された画像データを表示する画像表示手段と、前記音声符号化復号に符号化するための音声データを入力する音声入力手段と、前記音声符号復号部から出力される復号された音声データを外部に出力する音声出力手段と、装置全体の制御や前記回線インタフェース部と前記多重分離部との間のデータの入出力処理を行うＣＰＵを備えたことを特徴とする。
【００３１】
実施の形態２に記載の携帯電話端末装置は、地上波ディジタル放送を受信するための無線処理を行うＤＴＶチューナ部と、前記ＤＴＶチューナ部から出力される多重化された画像、音声、その他のデータをＣＰＵバスに出力するＤＴＶインタフェース部を備えたことを特徴とする。
【００３２】
実施の形態３に記載の携帯電話端末装置は、外部に接続されたＳＤカードやメモリースティックなどのメモリーカードに対して画像、音声、その他のデータ等の書込みや読出し処理を行う外部入出力インタフェース部を備えたことを特徴とする。
【００３３】
実施の形態４に記載の携帯電話端末装置は、ＣＰＵバスの書込み側と読出し側のバスを独立に設けることで、書込み時と読出し時のバスの信号向きの変化を削減し、高速クロックでのデータ転送を可能とする。
【００３４】
実施の形態５に記載の携帯電話端末装置は、回線インタフェース部と多重分離部間でのデータのやり取りを行うＤＭＡ処理部と備えたことを特徴とする。
【００３５】
実施の形態６に記載の携帯電話端末装置は、ＣＰＵのバスとＤＭＡＣのバスを独立に設けることで、ＣＰＵとＤＭＡＣが同時にそれぞれ別の処理部に対しアクセス出来るようにしたことを特徴とする。
【００３６】
【発明の効果】
本発明によれば、複数のデータ処理部の間で処理対象のデータパラレル伝送させるため、データ転送速度を向上させることができ、また複数のデータ処理部の間をＣＰＵバスを介して接続する場合には、新たなインタフェース部が追加になった場合でも、容易に接続することが可能である。
【図面の簡単な説明】
【図１】この発明の実施の形態１による携帯電話端末装置の機能ブロック図である。
【図２】この発明の実施の形態２による携帯電話端末装置の機能ブロック図である。
【図３】この発明の実施の形態３による携帯電話端末装置の機能ブロック図である。
【図４】この発明の実施の形態４による携帯電話端末装置の機能ブロック図である。
【図５】この発明の実施の形態５による携帯電話端末装置の機能ブロック図である。
【図６】この発明の実施の形態６による携帯電話端末装置の機能ブロック図である。
【図７】従来の回線インタフェース部、多重分離部間のデータ送受信タイミングを示す図である。
【図８】実施の形態に係る回線インタフェース部、多重分離部間のデータ受信タイミングを示す図である。
【符号の説明】
１  ベースバンド処理部、２  回線インタフェース部、３  ＣＰＵバス、４  多重分離部、５  画像符号化復号部、６  音声符号化復号部、７  画像入力手段、８  画像出力手段、９  音声入力手段、１０  音声出力手段、１１  ＣＰＵ、１２  メモリ、１３  ＤＴＶチューナ部、１４  ＤＴＶインタフェース部、１５メモリーカード、１６  外部入出力インタフェース部、１７  読出し用データバス、１８  書込み用データバス、１９  アドレス信号及びその他制御信号２０読出し用データバスセレクタ、２１  アドレスデコーダ、２２  書込み用データバスセレクタ、２３  アドレス及びその他制御信号用セレクタ、２４  ＤＭＡコントローラ、２５  バスアービター、２６  ＤＭＡコントローラ読出し用データバス。
【図１】
2004222096.tif 000003
【図２】
2004222096.tif 000004
【図３】
2004222096.tif 000005
【図４】
2004222096.tif 000006
【図５】
2004222096.tif 000007
【図６】
2004222096.tif 000008
【図７】
2004222096.tif 000009
【図８】
2004222096.tif 000010